【手続補正書】
【提出日】平成29年2月14日(2017.2.14)
【手続補正１】
【補正対象書類名】特許請求の範囲
【補正対象項目名】全文
【補正方法】変更
【補正の内容】
【特許請求の範囲】
【請求項１】
身体内に磁性マーカーを検出するための手持ち式磁化率測定プローブであって、
第１の端部および第２の端部を有するプローブコアであって、前記プローブコアは、ワイヤのコイルを収容するための２つの長手方向の領域を画定し、前記領域のうちの一方は、円筒状プローブコアの第１の端部に隣接している、プローブコアと、
２つの検知コイルであって、前記検知コイルのそれぞれ１つは、前記領域のそれぞれ１つに位置している、２つの検知コイルと、
２つの駆動コイルであって、前記駆動コイルのそれぞれ１つは、前記領域のそれぞれ１つに位置している、２つの駆動コイルと
を含み、
前記領域は、前記コイルのうちの一方の直径と等しいまたはそれを上回る距離で長手方向に分離され、前記駆動コイルおよび前記検知コイルは、各領域において接近している、プローブ。
【請求項２】
前記磁性マーカーは、磁性ナノ粒子を含む、請求項１に記載のプローブ。
【請求項３】
前記２つの駆動コイルの組および前記２つの検知コイルの組のうちの一方は、勾配計として接続され、前記２つの駆動コイルの組および前記２つの検知コイルの組のうちの他方は、直列に接続されている、請求項１に記載のプローブ。
【請求項４】
前記プローブコアの領域は、ワイヤのコイルを収容するための２つのチャネルを画定し、前記チャネルのうちの一方は、前記円筒状プローブコアの第１の端部に隣接し、
前記検知コイルのそれぞれ１つは、前記チャネルのそれぞれ１つに位置し、
前記駆動コイルのそれぞれ１つは、前記チャネルのそれぞれ１つ内でそれぞれの前記検知コイルと同位置にあり、
前記駆動コイルは、直列に接続され、
前記検知コイルは、逆直列に接続されている、請求項１に記載のプローブ。
【請求項５】
前記駆動コイルは、前記検知コイルの上に巻かれている、請求項１に記載のプローブ。
【請求項６】
前記プローブコアの領域は、ワイヤのコイルを収容するための２つのチャネルを画定し、前記チャネルのうちの一方は、前記円筒状プローブコアの第１の端部に隣接し、
前記検知コイルのそれぞれ１つは、前記チャネルのそれぞれ１つに位置し、
前記駆動コイルのそれぞれ１つは、前記チャネルのそれぞれ１つ内でそれぞれの前記検知コイルと同位置にあり、
前記駆動コイルは、逆直列に接続され、
前記検知コイルは、直列に接続されている、請求項１に記載のプローブ。
【請求項７】
磁性マーカーを検出するためのプローブであって、
第１の端部および第２の端部を有するプローブコアであって、前記プローブコアは、ワイヤのコイルを収容するための２つの領域を画定し、前記領域のうちの一方は、円筒状プローブコアの第１の端部に隣接している、プローブコアと、
２つの検知コイルであって、前記検知コイルのそれぞれ１つは、前記領域のそれぞれ１つに位置している、２つの検知コイルと、
２つの駆動コイルであって、前記駆動コイルのそれぞれ１つは、前記領域のそれぞれ１つに位置している、２つの駆動コイルと
を含み、
前記領域は、前記コイルのうちの一方の直径と等しいまたはそれを上回る距離で分離され、
前記プローブの領域は、ワイヤのコイルを収容するための４つのチャネルを画定し、前記チャネルのそれぞれ２つは、前記領域のそれぞれに位置し、
前記チャネルの２つは、前記円筒状のプローブコアの第１の端部に隣接して位置し、
前記検知コイルのそれぞれ１つは、前記領域のそれぞれ１つにおける前記チャネルのそれぞれ１つに位置し、
前記駆動コイルのそれぞれ１つは、前記領域のそれぞれ１つにおける前記チャネルのそれぞれ１つに位置し、
どの２つのコイルも、同じチャネルを占有せず、
前記駆動コイルは、直列に接続され、
前記検知コイルは、逆直列に接続される、プローブ。
【請求項８】
前記プローブの前記第１の端部から前記第２の端部に向かう前記コイルの順序は、検知コイル、駆動コイル、検知コイル、および駆動コイルである、請求項７に記載のプローブ。
【請求項９】
前記検知コイルおよび前記駆動コイルは、異なる直径を有し、前記検知コイルの直径は、前記駆動コイルの直径よりも大きい、請求項３に記載のプローブ。
【請求項１０】
前記検知コイルおよび前記駆動コイルは、異なる直径を有し、最も大きいコイルの直径は、１５ｍｍ未満である、請求項９に記載のプローブ。
【請求項１１】
前記検知コイルおよび前記駆動コイルは、異なる巻数を有し、前記駆動コイルのワイヤは、前記検知コイルのワイヤを上回る太さを有する、請求項９に記載のプローブ。
【請求項１２】
前記検知コイルおよび前記駆動コイルは、異なる巻数を有する、請求項９に記載のプローブ。
【請求項１３】
第３の駆動コイルをさらに含み、前記第３の駆動コイルは、単一のソレノイド駆動コイルを形成するように、前記第１の駆動コイルと前記第２の駆動コイルとの間に直列接続され、前記第１の駆動コイルと前記第２の駆動コイルとの間に配置され、
前記検知コイルのそれぞれ１つは、前記単一のソレノイド駆動コイルのそれぞれの端部の近くに位置している、請求項１に記載のプローブ。
【請求項１４】
前記単一のソレノイド駆動コイルの各巻きは、同じ直径である、請求項１３に記載のプローブ。
【請求項１５】
前記単一のソレノイド駆動コイルの長手方向の中心での巻きは、両端の巻きよりも大きい直径を有する、請求項１３に記載のプローブ。
【請求項１６】
前記単一のソレノイド駆動コイルの各巻きは、同じ間隔である、請求項１３に記載のプローブ。
【請求項１７】
前記単一のソレノイド駆動コイルの長手方向の中心での巻きは、両端の巻きよりも大きい間隔を有する、請求項１３に記載のプローブ。
【請求項１８】
前記プローブコアは、実質的に≧２０×１０−６ｍ２／秒の熱拡散率を有する材料を含み、前記熱拡散率は、熱伝導率／（密度×比熱容量）として規定されている、請求項１に記載のプローブ。
【請求項１９】
前記プローブコアは、９×１０−３ＫＪ／ｍよりも大きい靭性Ｇｉｃを有する材料を含み、靭性は、（破壊靭性（Ｋｉｃ））２／ヤング率として規定されている、請求項１に記載のプローブ。
【請求項２０】
前記プローブコアは、窒化ホウ素、窒化アルミニウム、炭化ケイ素、Ｓｈａｐａｌ−Ｍ、Ｍａｃｏｒ、およびそれらの組み合わせからなるグループから選択されるセラミックを含む、請求項１９に記載のプローブ。
【請求項２１】
磁性マーカーを検出するためのプローブであって、
第１の端部および第２の端部を有するプローブコアであって、前記プローブコアは、ワイヤのコイルを収容するための２つの領域を画定し、前記領域のうちの一方は、円筒状プローブコアの第１の端部に隣接している、プローブコアと、
２つの検知コイルであって、前記検知コイルのそれぞれ１つは、前記領域のそれぞれ１つに位置している、２つの検知コイルと、
２つの駆動コイルであって、前記駆動コイルのそれぞれ１つは、前記領域のそれぞれ１つに位置している、２つの駆動コイルと
を含み、
前記領域は、前記コイルのうちの一方の直径と等しいまたはそれを上回る距離で長手方向に分離されている、プローブ。
【手続補正２】
【補正対象書類名】明細書
【補正対象項目名】００１１
【補正方法】変更
【補正の内容】
【００１１】
一実施形態では、プローブコアは、実質的に≧２０×１０−６ｍ２／秒の熱拡散率および実質的に＜３×１０−５／℃の熱膨張係数を有する材料を含む。別の実施形態では、プローブコアは、実質的に≧５０×１０−６ｍ２／秒の熱拡散率および実質的に＜５×１０−６／℃の熱膨張係数を有する材料を含む。
本願明細書は、例えば、以下の項目も提供する。
（項目１）
磁性マーカーを検出するためのプローブであって、
第１の端部および第２の端部を有するプローブコアであって、前記プローブコアは、ワイヤのコイルを収容するために２つの領域を画定し、前記領域の片方が円筒状プローブコアの前記第１の端部に隣接する、プローブコアと、
２つの検知コイルであって、前記検知コイルのそれぞれ１つが、前記領域のそれぞれ１つに位置する、２つの検知コイルと、
２つの駆動コイルであって、前記駆動コイルのそれぞれ１つが、前記領域のそれぞれ１つに位置する、２つの駆動コイルと
を含み、
前記領域は、前記コイルの１つの直径と等しいまたはそれを上回る距離で分離される、プローブ。
（項目２）
前記磁性マーカーは、磁性ナノ粒子を含む、項目１に記載のプローブ。
（項目３）
前記２つの駆動コイルの組のうちの一方および前記２つの検知コイルの組が勾配計として接続され、前記２つの駆動コイルの組の他方および前記２つの検知コイルの組が直列に接続される、項目１に記載のプローブ。
（項目４）
前記プローブコアの前記領域は、ワイヤのコイルを収容するために２つのチャネルを画定し、前記チャネルの１つが前記円筒状プローブコアの第１の端部に隣接し、
前記検知コイルのそれぞれ１つは、前記チャネルのそれぞれ１つに配置され、
前記駆動コイルのそれぞれ１つは、前記チャネルのそれぞれ１つ内でそれぞれの前記検知コイルと同位置にあり、
前記駆動コイルは、直列に接続され、
前記検知コイルは、逆直列に接続される、
項目１に記載のプローブ。
（項目５）
前記駆動コイルは、前記検知コイルの上に巻かれる、項目１に記載のプローブ。
（項目６）
前記プローブコアの領域は、ワイヤのコイルを収容するために２つのチャネルを画定し、前記チャネルの１つは、前記円筒状プローブコアの第１の端部に隣接し、
前記検知コイルのそれぞれ１つは、前記チャネルのそれぞれ１つに配置され、
前記駆動コイルのそれぞれ１つは、前記チャネルのそれぞれ１つ内でそれぞれの前記検知コイルと同位置にあり、
前記駆動コイルは、逆直列に接続され、
前記検知コイルは、直列に接続される、
項目１に記載のプローブ。
（項目７）
前記プローブの領域は、ワイヤのコイルを収容するために４つのチャネルを画定し、前記チャネルのそれぞれ２つは、前記領域のそれぞれに配置され、
前記チャネルの２つは、前記円筒状のプローブコアの第１の端部に隣接して配置され、
前記検知コイルのそれぞれ１つは、前記領域のそれぞれ１つの、前記チャネルのそれぞれ１つに配置され、
前記駆動コイルのそれぞれ１つは、前記領域のそれぞれ１つの、前記チャネルのそれぞれ１つに配置され、
どの２つのコイルも、同じチャネルを占有せず、
前記駆動コイルは、直列に接続され、
前記検知コイルは、逆直列に接続される、
項目１に記載のプローブ。
（項目８）
前記プローブの領域は、ワイヤのコイルを収容するために４つのチャネルを画定し、前記チャネルのそれぞれ２つは、前記領域のそれぞれに配置され、
前記チャネルの２つは、前記円筒状のプローブコアの第１の端部に隣接して配置され、
前記検知コイルのそれぞれ１つは、前記領域のそれぞれ１つの、前記チャネルのそれぞれ１つに配置され、
前記駆動コイルのそれぞれ１つは、前記領域のそれぞれ１つの、前記チャネルのそれぞれ１つに配置され、
どの２つのコイルも、同じチャネルを占有せず、
前記駆動コイルは、逆直列に接続され、
前記検知コイルは、直列に接続される、
項目１に記載のプローブ。
（項目９）
前記プローブの前記第１の端部から前記第２の端部までの前記コイルの順序は、検知コイル、駆動コイル、検知コイル、および駆動コイルである、項目７に記載のプローブ。
（項目１０）
前記プローブの前記第１の端部から前記第２の端部までの前記コイルの順序は、検知コイル、駆動コイル、検知コイル、および駆動コイルである、項目８に記載のプローブ。
（項目１１）
前記プローブの前記第１の端部から前記第２の端部までの前記コイルの順序は、駆動コイル、検知コイル、駆動コイル、および検知コイルである、項目７に記載のプローブ。
（項目１２）
前記プローブの前記第１の端部から前記第２の端部までの前記コイルの順序は、駆動コイル、検知コイル、駆動コイル、および検知コイルである、項目８に記載のプローブ。
（項目１３）
前記プローブの前記第１の端部から前記第２の端部までの前記コイルの順序は、検知コイル、駆動コイル、駆動コイル、および検知コイルである、項目７に記載のプローブ。
（項目１４）
前記プローブの前記第１の端部から前記第２の端部までの前記コイルの順序は、検知コイル、駆動コイル、駆動コイル、および検知コイルである、項目８に記載のプローブ。
（項目１５）
前記プローブの前記第１の端部から前記第２の端部までの前記コイルの順序は、駆動コイル、検知コイル、検知コイル、および駆動コイルである、項目７に記載のプローブ。
（項目１６）
前記プローブの前記第１の端部から前記第２の端部までの前記コイルの順序は、駆動コイル、検知コイル、検知コイル、および駆動コイルである、項目８に記載のプローブ。
（項目１７）
前記検知コイルおよび前記駆動コイルは、異なる直径を有する、項目７に記載のプローブ。
（項目１８）
前記検知コイルおよび前記駆動コイルは、異なる直径を有する、項目８に記載のプローブ。
（項目１９）
前記検知コイルおよび前記駆動コイルは、異なる巻数を有する、項目７に記載のプローブ。
（項目２０）
前記検知コイルおよび前記駆動コイルは、異なる巻数を有する、項目８に記載のプローブ。
（項目２１）
第３の駆動コイルであって、前記第３の駆動コイルは、単一のソレノイド駆動コイルを形成するように、前記第１の駆動コイルおよび前記第２の駆動コイルとの間に直列接続され、前記第１の駆動コイルおよび前記第２の駆動コイルとの間に配置される、第３の駆動コイルをさらに含み、
前記検知コイルのそれぞれ１つは、前記単一のソレノイド駆動コイルのそれぞれの端部の近くに位置する、項目１に記載のプローブ。
（項目２２）
前記単一のソレノイド駆動コイルの各巻きは、同じ直径である、項目２１に記載のプローブ。
（項目２３）
前記単一のソレノイド駆動コイルの長手方向の中心での巻きは、両端の巻きよりも大きい直径を有する、項目２１に記載のプローブ。
（項目２４）
前記単一のソレノイド駆動コイルの各巻きは、同じ間隔を有する、項目２１に記載のプローブ。
（項目２５）
前記単一のソレノイド駆動コイルの長手方向の中心での巻きは、両端の巻きよりも大きい間隔を有する、項目２１に記載のプローブ。
（項目２６）
前記プローブコアは、実質的に≧２０×１０−６ｍ２／秒の熱拡散率および実質的に＜３×１０−５／℃の熱膨張係数を有する材料を含む、項目１に記載のプローブ。
（項目２７）
前記プローブコアは、実質的に≧５０×１０−６ｍ２／秒の熱拡散率および実質的に＜５×１０−６／℃の熱膨張係数を有する材料を含む、項目１に記載のプローブ。